(57)【要約】    【課題】  鍵ベース体と木質部との固定状態の目視確認を可能として固定強度を保証する。    【解決手段】  鍵構造体Ｋ１は、光透過性で合成樹脂製の上板体１０、透明な合成樹脂製の鍵ベース体２０、及び木質系材製の木質部３０とから構成される。木質部３０の下面３０ａが鍵ベース体２０の延設部２２の上面２２ａに接着剤で接着されるが、鍵ベース体２０が透明部材で構成されるので、接着状態を目視確認可能である。延設部２２には、接着剤注入用の貫通穴２２ｂも設けられる。鍵ベース体２０の前部には、レンズ部２４ａを含んだ袋状部２４が一体に形成され、袋状部２４の下方には光照射部４０が配置される。木質部３０の前部に形成される貫通穴３０ｂは、光照射部４０から照射される光を上板体１０方向に導通させる。【選択図】    図１
2005195797.tif 000002
【特許請求の範囲】
【請求項１】
鍵盤装置に取り付けられたとき、押鍵操作により奏者側端部が上下方向に回動し、鍵として機能する鍵構造体を有する鍵盤構造であって、
前記鍵構造体は、長尺の鍵ベース体と、前記鍵ベース体の上面に固定された木質部と、光透過性部材で構成され演奏操作面を有し前記木質部の上部に固定された上板体とから構成され、
前記鍵ベース体は透明部材で一体に形成され、前記鍵構造体の裏面方向から前記鍵ベース体を通して該鍵ベース体と前記木質部との固定状態を視認できるように構成されたことを特徴とする鍵盤構造。
【請求項２】
前記木質部は前記鍵ベース体の上面に接着剤で固定され、前記鍵ベース体の、前記木質部との接着部分において、上下方向に貫通し前記接着剤の注入用の貫通穴が形成されたことを特徴とする請求項１記載の鍵盤構造。
【請求項３】
前記鍵構造体の前記鍵ベース体の下面近傍には光照射部が配置されると共に、前記木質部には、略上下方向に貫通し前記光照射部から照射される光を前記上板体の方向に導通させるための貫通穴が形成されたことを特徴とする請求項１または２記載の鍵盤構造。
【請求項４】
前記鍵ベース体の光照射部近傍部分がレンズ機能を有することを特徴とする請求項３記載の鍵盤構造。
【請求項５】
金型装置により射出成形される合成樹脂製で長尺の保持部材と、前記保持部材の所定面に接着固定される木質部とから構成され、鍵盤装置に取り付けられたとき、押鍵操作により奏者側端部が上下方向に回動し、鍵として機能する鍵構造体であって、
前記保持部材は、射出成形の際、前記金型装置の固定側型板で該保持部材の前記所定面側部分が成形されると共に、前記金型装置の可動側型板で該保持部材の前記所定面の反対側部分が成形されたことを特徴とする鍵構造体。
【発明の詳細な説明】
【技術分野】
【０００１】
本発明は、木質部を保持部材に接着等で固定して鍵が構成される鍵盤構造及び鍵構造体に関する。
【背景技術】
【０００２】
従来、下記特許文献１、２のように、押鍵操作により回動する鍵として機能する鍵構造体の一部に木材等の木質部を採用した鍵盤構造が知られている。このような鍵盤構造における木質系の鍵構造体では、少なくとも、演奏時及び非演奏時に外観となって視認されるいわゆる「見えがかり部位」に木質部を配することで、木質感が付与され、高級感が得られる。これらの鍵構造体は、木質部が、例えば、演奏操作面を含んだ合成樹脂製の上板体の下面及び合成樹脂製の鍵ベース体の上面に接着剤等で固定されて保持される。上板体や鍵ベース体は鍵形状に対応して長尺で、これら保持部材と木質部とで鍵構造体が構成される。
【特許文献１】特開２００３−２７１１２７号公報
【特許文献２】特開２００３−２７１１２８号公報
【発明の開示】
【発明が解決しようとする課題】
【０００３】
しかしながら、鍵ベース体の上面と木質部の下面とが例えば接着剤で固定される場合、鍵ベース体と木質部との間の接着剤の分布の様子を接着後に直接確認できないため、接着状態が適切かどうかを破壊検査なしで確認するのが難しく、多数の製品出荷に際し、全製品について接着強度を保証することが容易でないという問題があった。
【０００４】
また、鍵ベース体等の保持部材は、通常、金型装置により射出成形で成形されるが、射出成形品では一般に、可動側型板から離型させるための突き出しピンの跡が片面側に残る。従って、保持部材の、突き出しピンの跡が残った側の面に木質部が接着されると、接着層の形成条件がばらついて、接着強度が低下するおそれがあるという問題があった。
【０００５】
本発明は上記従来技術の問題を解決するためになされたものであり、その第１の目的は、鍵ベース体と木質部との固定状態の目視確認を可能として固定強度を保証することができる鍵盤構造を提供することにある。
【０００６】
本発明の第２の目的は、保持部材の、木質部との接着面に金型の突き出しピン跡が残ることを防止して、保持部材と木質部との接着強度を保証することができる鍵構造体を提供することにある。
【課題を解決するための手段】
【０００７】
上記第１の目的を達成するために本発明の請求項１の鍵盤構造は、鍵盤装置に取り付けられたとき、押鍵操作により奏者側端部が上下方向に回動し、鍵として機能する鍵構造体（Ｋ１）を有する鍵盤構造であって、前記鍵構造体は、長尺の鍵ベース体（２０）と、前記鍵ベース体の上面（２２ａ）に固定された木質部（３０）と、光透過性部材で構成され演奏操作面（１０ａ）を有し前記木質部の上部に固定された上板体（１０）とから構成され、前記鍵ベース体は透明部材で一体に形成され、前記鍵構造体の裏面方向から前記鍵ベース体を通して該鍵ベース体と前記木質部との固定状態を視認できるように構成されたことを特徴とする。
この構成によれば、鍵ベース体が透明部材で構成されるので、木質部との固定状態を固定後に目視で確認することが可能である。また、光鍵盤機能を設ける場合、通常、鍵下方から照射させる光が鍵を透過するように構成する必要があるが、鍵ベース体が透明部材で構成されることから、木質部に貫通孔を設ける等により容易に対応でき、鍵ベース体の構成を複雑化することなく光鍵盤機能を実現することが容易である。
【０００８】
また、上記請求項１の構成において、好ましくは、前記木質部は前記鍵ベース体の上面に接着剤で固定され、前記鍵ベース体の、前記木質部との接着部分において、上下方向に貫通し前記接着剤の注入用の貫通穴（２２ｂ）が形成される（請求項２）。より好ましくは、前記鍵構造体の前記鍵ベース体の下面（２０ａ）近傍には光照射部（４０）が配置されると共に、前記木質部には、略上下方向に貫通し前記光照射部から照射される光を前記上板体の方向に導通させるための貫通穴（３０ｂ）が形成される。さらに好ましくは、前記鍵ベース体の光照射部近傍部分（２４ａ）がレンズ機能を有する（請求項３）。
【０００９】
上記第２の目的を達成するために本発明の請求項４の鍵構造体は、金型装置により射出成形される合成樹脂製で長尺の保持部材（２０）と、前記保持部材の所定面（２２ａ）に接着固定される木質部（３０）とから構成され、鍵盤装置に取り付けられたとき、押鍵操作により奏者側端部が上下方向に回動し、鍵として機能する鍵構造体であって、前記保持部材は、射出成形の際、前記金型装置の固定側型板（Ｍ１）で該保持部材の前記所定面側部分が成形されると共に、前記金型装置の可動側型板（Ｍ２）で該保持部材の前記所定面の反対側部分が成形されたことを特徴とする。
【００１０】
この構成によれば、成型品となった保持部材を離型させるための突き出しピンの跡が、保持部材の所定面の反対側部分にのみ残り、接着面である所定面には残らない。
【００１１】
なお、上記括弧内の符号は例示である。
【発明の効果】
【００１２】
本発明の請求項１に係る鍵盤構造によれば、鍵ベース体と木質部との固定状態の目視確認を可能として固定強度を保証することができる。また、鍵ベース体の構成を複雑化することなく光鍵盤機能を実現することが容易である。
【００１３】
本発明の請求項４に係る鍵構造体によれば、保持部材の、木質部との接着面に金型の突き出しピン跡が残ることを防止して、保持部材と木質部との接着強度を保証することができる。
【発明を実施するための最良の形態】
【００１４】
以下、本発明の実施の形態を図面を参照して説明する。
【００１５】
図１（ａ）は、本発明の一実施の形態に係る鍵構造体を含んだ鍵盤構造の、一部を断面で示す側面図である。同図（ｂ）は、同鍵構造体の下面図である。
【００１６】
本実施の形態では、一例として、鍵構造体Ｋ１が、Ｃ鍵（音高Ｃ用の白鍵）に適用された構成を示す。なお、鍵構造体Ｋ１は、他の白鍵だけでなく、黒鍵に適用してもよい。以降、鍵構造体Ｋ１の奏者側を前方と呼称する。鍵構造体Ｋ１は、上板体１０、鍵ベース体２０及び木質部３０とから構成される。
【００１７】
鍵ベース体２０は、基端部２１と、該基端部２１から前方（奏者方向）に延設される延設部２２とが一体に形成されて構成される。鍵ベース体２０は、透明な合成樹脂で構成され、金型装置により射出成形されることで製造される。基端部２１の下方に開口する凹部２１ａ内には、回動支点２３が一体に形成されている。鍵構造体Ｋ１は、不図示の鍵盤装置に取り付けられたとき、回動支点２３を中心として先端部が上下方向に回動自在になる。延設部２２の前部には、上方に膨出した袋状部２４が一体に形成され、鍵ベース体２０の下面２０ａの近傍であって袋状部２４の下方には光照射部４０が配置されている。これらについては後述する。
【００１８】
木質部３０は、木質系材で構成され、鍵ベース体２０の延設部２２とほぼ同じ長さを有し、その下面３０ａが延設部２２の上面２２ａに不図示の接着剤で接着されることで、鍵ベース体２０に固定される。木質部３０の前部には、袋状部２４が収容される円筒状の貫通穴３０ｂが形成されている。貫通穴３０ｂは、光照射部４０から照射される光を上板体１０方向に導通させる。なお、貫通穴３０ｂは、押鍵操作を光でガイドするための機能に関係するので、その形状を、木質部３０の長手方向に長い断面楕円形にする等、各種変形が可能である。
【００１９】
上板体１０は、演奏操作面１０ａを有し、木質部３０とほぼ同じ長さを有する。上板体１０は、木質部３０の上面３０ｃに接着固定されている。上板体１０は、全体が、光を透過する白色の合成樹脂で構成される。後述する光照射部４０の発光時には光照射部４０の光を緩やかに通し、奏者にその光が視認されるが、光照射部４０の非発光時には、上板体１０の下方部分（光照射部４０等）が見えることがなく、通常の白鍵と同様に認識される。
【００２０】
木質部３０は、鍵構造体Ｋ１に木質感を付与する役割を果たす。すなわち、隣接する鍵の押鍵時には、鍵構造体Ｋ１の側面の一部が奏者から見えるが、木製の木質部３０を側面の一部として視認されるように配したことから、奏者にとっては、鍵構造体Ｋ１が上面や前面を除いて木材で構成されているかのように見える。これにより、鍵構造体Ｋ１に木質感が付与され、高級感が与えられる。
【００２１】
また、鍵ベース体２０の延設部２２には、上下方向の複数の貫通穴２２ｂが設けられている。貫通穴２２ｂは特に、延設部２２の上面２２ａと木質部３０の下面３０ａとの接着部分の中央付近に配置され、両者の接着の際に、上記不図示の接着剤を注入するのに用いられる。例えば、低粘性の接着剤を用いる場合は、木質部３０の外縁側から接着剤を流し込もうとすると、接着剤が木質部３０の側面にまで流れ出してしまい、外観を損ねるおそれがあるが、貫通穴２２ｂから注入すれば、毛細管現象によって、接着剤を必要領域に浸透させることができる。あるいは、接着剤を塗布してから接着しただけでは、接着剤が木質部３０の外縁近傍等の特定部分に集中しがちで接着状態が良好でないような場合、貫通穴２２ｂから注入すれば、接着部分の中央領域に接着剤を効果的に補充するのに役立つ。
【００２２】
さらに、鍵ベース体２０は、透明部材で構成されているので、延設部２２の上面２２ａと木質部３０の下面３０ａとの接着部分の接着状態を、接着後に下方から目視で確認することが可能である。なお、接着状態の目視確認を可能にするという観点に限っていえば、鍵ベース体２０は、完全な透明でなく半透明であってもよく、また、接着部分に対応する部分だけが透明乃至半透明であってもよい。
【００２３】
上記光照射部４０は、基盤４３上に固定されたＬＥＤホルダ４２にＬＥＤ４１が保持されて構成される。ＬＥＤ４１は、演奏データ等に基づき発光し、その光が押鍵操作ガイド等に利用される。一方、上記袋状部２４は、上部に凹レンズであるレンズ部２４ａを有する。ＬＥＤ４１は、袋状部２４を袋と見なした場合の内側（下方）に入り込み、レンズ部２４ａに近接している。鍵ベース体２０は、透明部材で構成されているので、レンズ部２４ａも透明で、レンズ部２４ａはＬＥＤ４１の光を上方に透過させる光透過部としての機能を果たす。それだけでなく、レンズ部２４ａが凹レンズであることから、ＬＥＤ４１の光を適当に拡散させる散光機能を果たす。なお、レンズ部２４ａの構成は、ＬＥＤ４１の配置やＬＥＤ４１の発光の利用態様によって変形してもよく、例えば、集光レンズ等にして、光を上板体１０に効率よく導くようにしてもよい。
【００２４】
図２は、金型装置により射出成形される鍵ベース体２０の側面視に対応する模式図である。この金型装置は一般的なもので、固定側型板Ｍ１と可動側型板Ｍ２が対向配置される。スライドコアの図示は省略されている。鍵ベース体２０は、主として固定側型板Ｍ１と可動側型板Ｍ２とによって成形され、鍵ベース体２０の延設部２２の上面２２ａ側部分、すなわち、鍵ベース体２０の上半部が固定側型板Ｍ１で成形されると共に、鍵ベース体２０の下面２０ａ側部分、すなわち、鍵ベース体２０の下半部が可動側型板Ｍ２で成形される。
【００２５】
鍵ベース体２０の成形直後、鍵ベース体２０を離型させるために、可動側型板Ｍ２側から複数の突き出しピン１が突出する。突き出しピン１は、鍵ベース体２０の下面２０ａを押すので、突き出しピン１の跡は下面２０ａのみに残り、上半部には残らない。特に、木質部３０との接着面である延設部２２の上面２２ａに突き出しピン１の跡が残らないので、接着面が平坦となり、木質部３０との接着強度の低下が回避される。
【００２６】
本実施の形態によれば、鍵ベース体２０が透明部材で構成されるので、木質部３０との接着面の接着状態を接着後に目視で確認することが可能で、接着強度を保証することができる。それだけでなく、鍵ベース体２０を透明部材で一体に構成することで、ＬＥＤ４１の光を透過させるレンズ部２４ａも容易に構成されるので、光鍵盤機能を設ける上で鍵ベース体２０の構成がいたずらに複雑化することがない。すなわち、鍵ベース体２０が透明であることが、接着強度の保証に有用であるだけでなく、光鍵盤機能を設ける場合において、下方から照射される光を視認可能にする上で、木質部３０や上板体１０の構成を若干変更するだけで容易に対応できることから、鍵ベース体２０の構成を複雑化することなく光鍵盤機能を実現することが容易である。この点で、鍵盤装置に用いられる鍵構造体というものに、透明な鍵ベース体２０を適用することの利点が大きいといえる。
【００２７】
また、鍵ベース体２０の延設部２２に、接着剤注入用の貫通穴２２ｂを設けたので、接着剤を必要な領域に均一に行き渡らせることが容易であり、接着強度の保証に寄与する。
【００２８】
さらに、金型装置による鍵ベース体２０の射出成形において、木質部３０との接着面側である鍵ベース体２０の上半部が固定側型板Ｍ１で成形されるので、延設部２２の上面２２ａに突き出しピン１の跡が残ることを防止して、鍵ベース体２０と木質部３０との接着強度を保証することができる。
【００２９】
なお、突き出しピン１の跡が残ることを防止して接着強度を高めるという観点からは、上板体１０の射出成形においても、上板体１０の下半部、すなわち、木質部３０との接着面側部分を固定側型板Ｍ１で成形すると共に、下半部を可動側型板Ｍ２で成形するようにするのが望ましい。
【００３０】
なお、ＬＥＤ４１乃至ＬＥＤホルダ４２に代えて、鍵構造体Ｋ１の上下方向の動作をガイドするためのキーガイドを設けてもよい。その場合、袋状部２４が、鍵ベース体２０の下面２０ａの領域と木質部３０側の領域とを分断しているので、例えば、上記キーガイドに塗布された潤滑用のグリスが木質部３０に浸透することが回避され、円滑なガイド機能が長期間維持される。
【図面の簡単な説明】
【００３１】
【図１】本発明の一実施の形態に係る鍵構造体を含んだ鍵盤構造の、一部を断面で示す側面図（図（ａ））、及び同鍵構造体の下面図（図（ｂ））である。
【図２】金型装置により射出成形される鍵ベース体の側面視に対応する模式図である。
【符号の説明】
【００３２】
１０  上板体、  １０ａ  演奏操作面、  ２０  鍵ベース体（保持部材）、  ２０ａ  下面、  ２２  延設部、  ２２ａ  上面（所定面）、  ２２ｂ  貫通穴、  ２４  袋状部、  ２４ａ  レンズ部（光照射部近傍部分）、  ３０  木質部、  ３０ａ  下面、  ３０ｂ  貫通穴、  ４０  光照射部、  ４１  ＬＥＤ、  Ｋ１  鍵構造体、  Ｍ１  固定側型板、  Ｍ２  可動側型板
【図１】
2005195797.tif 000003
【図２】
2005195797.tif 000004